(57)【特許請求の範囲】
【請求項１】
本体と、
前記本体に設けられ、かつ、原稿が主面上に載置される第１の透明板と、
原稿を搬送する搬送手段と、
前記本体に設けられ、かつ、前記搬送手段により搬送されている原稿が主面上を通過する第２の透明板と、
前記第１の透明板及び前記第２の透明板の下方において移動可能に構成されているスライダー部であって、該第１の透明板上の前記原稿又は該第２の透明板上の前記原稿に光を照射する光源装置を含んでいるスライダー部と、
を備えており、
前記スライダー部は、前記第１の透明板上の前記原稿に照射する光の分光特性と、前記第２の透明板上の前記原稿に照射する光の分光特性とを異ならせることができること、
を特徴とする画像読み取り装置。
【請求項２】
前記第１の透明板上の前記原稿を読み取る場合には、該第１の透明板上の該原稿に対して第１の分光特性の光を照射させ、前記第２の透明板上の前記原稿を読み取る場合には、該第２の透明板上の該原稿に対して第２の分光特性を照射させるように前記光源装置を制御する制御部を、
更に備えていること、
を特徴とする請求項１に記載の画像読み取り装置。
【請求項３】
前記第２の透明板上の前記原稿に照射する光の分光特性は、前記第１の透明板上の前記原稿に照射する光の分光特性よりも、所定範囲の波長において、強い強度を有していること、
を特徴とする請求項１又は請求項２のいずれかに記載の画像読み取り装置。
【請求項４】
前記所定範囲の波長とは、青色の光の波長から緑色の光の波長までの波長であること、
を特徴とする請求項３に記載の画像読み取り装置。
【請求項５】
前記光源装置は、
前記原稿に光を照射するための第１の光源と、
前記原稿に光を照射するための第２の光源と、
を有しており、
前記画像読み取り装置は、
前記第１の透明板上の前記原稿を読み取る場合と、前記第２の透明板上の前記原稿を読み取る場合とで、前記原稿に光を照射する光源を変更する制御部を、
更に備えていること、
を特徴とする請求項１ないし請求項４のいずれかに記載の画像読み取り装置。
【請求項６】
前記第１の光源と前記第２の光源とは、照射する光の分光特性が互いに異なること、
を特徴とする請求項５に記載の画像読み取り装置。
【請求項７】
前記制御部は、前記第１の透明板上の前記原稿に光を照射する場合には、前記第１の光源のみに光を照射させ、前記第２の透明板上の前記原稿に光を照射する場合には、該第１の光源及び前記第２の光源に光を照射させることを、
を特徴とする請求項５又は請求項６のいずれかに記載の画像読み取り装置。
【請求項８】
前記光源装置は、
前記第１の光源が照射した光と前記第２の光源が照射した光とを合成する合成手段と、
前記合成手段から出力されてくる光を前記第１の透明板上の前記原稿又は前記第２の透明板上の前記原稿に照射する導光体と、
を更に有していること、
を特徴とする請求項５ないし請求項７のいずれかに記載の画像読み取り装置。
【請求項９】
前記第２の光源は、青色の光の波長から緑色の光の波長までの間の波長の光を照射すること、
を特徴とする請求項５ないし請求項８のいずれかに記載の画像読み取り装置。
【請求項１０】
前記光源装置は、
前記第１の光源及び前記第２の光源を収容する容器をなし、かつ、該第１の光源が照射した光と該第２の光源が照射した光とを内周面にて反射することによって合成する合成手段と、
前記合成手段から出力されてくる光を前記第１の透明板上の前記原稿又は前記第２の透明板上の前記原稿に照射する導光体と、
を有しており、
前記制御部は、前記第１の透明板上の前記原稿に光を照射する場合には、前記第１の光源のみに光を照射させ、前記第２の透明板上の前記原稿に光を照射する場合には、該第１の光源及び前記第２の光源に光を照射させ、
前記第１の光源は、前記第２の光源よりも前記導光体の近くに設けられており、
前記合成手段は、所定範囲の波長の光を該所定範囲以外の波長の光よりも高い反射率で反射すること、
を特徴とする請求項５に記載の画像読み取り装置。
【請求項１１】
前記画像読み取り装置は、
前記光源装置が照射した光の一部を前記第２の透明板上の前記原稿に向けて反射する反射部材であって、所定範囲の波長の光を該所定範囲以外の波長の光よりも高い反射率で反射する反射部材を、
更に備えていること、
を特徴とする請求項１ないし請求項４のいずれかに記載の画像読み取り装置。
【請求項１２】
前記光源装置は、
光を照射する光源と、
前記光源が照射した光の一部を前記第２の透明板上の前記原稿に向けて反射する反射部材であって、所定範囲の波長の光を該所定範囲以外の波長の光よりも高い反射率で反射する反射部材と、
を更に有していること、
を特徴とする請求項１ないし請求項４のいずれかに記載の画像読み取り装置。
【請求項１３】
前記光源装置は、
前記第１の透明板上の前記原稿に光を照射する場合には、前記反射部材により反射された光が該第１の透明板上の該原稿を照射しないように、該反射部材を移動させる移動手段を、
更に有していること、
を特徴とする請求項１２に記載の画像読み取り装置。
【請求項１４】
前記第１の透明板の分光透過率と前記第２の透明板の分光透過率とは異なっていること、
を特徴とする請求項１ないし請求項１３のいずれかに記載の画像読み取り装置。
【請求項１５】
前記第２の透明板の分光透過率は、前記第１の透明板の分光透過率よりも、所定範囲の波長において、低いこと、
を特徴とする請求項１４に記載の画像読み取り装置。
【発明の詳細な説明】
【技術分野】
【０００１】
本発明は、画像読み取り装置に関し、特に、第１の透明板上に載置された原稿を読み取ることができ、更に、第２の透明板上を原稿を搬送させながら読み取ることができる画像読み取り装置に関する。
【背景技術】
【０００２】
手置き原稿読み取りとスルー原稿読み取りとを行うことができる画像読み取り装置が普及している。手置き原稿読み取りとは、プラテンガラス上に載置された原稿を読み取る動作である。スルー原稿読み取りとは、プラテンガラス上をＡＤＦ（Ａｕｔｏ  Ｄｏｃｕｍｅｎｔ  Ｆｅｅｄｅｒ）機構により原稿を通過させて読み取る動作である。このような画像読み取り装置には、手置き原稿読み取りのためのプラテンガラス、及び、スルー原稿読み取りのためのプラテンガラスが設けられている。
【０００３】
ところで、前記画像読み取り装置は、手置き原稿読み取りによって得られる画像とスルー原稿読み取りによって得られる画像との間で色調の差が生じるという問題を有している。より詳細には、スルー原稿読み取りのためのプラテンガラスには、該プラテンガラスに汚れが付着しないように、防汚コーティングや導電コーティング等が施されている。そのため、手置き原稿読み取りのためのプラテンガラスの透過率と波長との関係（分光透過率）と、スルー原稿読み取りのためのプラテンガラスの透過率と波長との関係（分光透過率）とは異なっている。その結果、手置き原稿読み取りによって得られる画像とスルー原稿読み取りによって得られる画像との間で色調の差が生じてしまう。
【０００４】
なお、従来の原稿読み取り装置としては、例えば、特許文献１に記載のカラー原稿読み取り装置が知られている。該カラー原稿読み取り装置では、ＣＣＤの色フィルタの分光感度分布ずれを補正するために、色フィルタのフィルタ部材の膜厚を変化させている。しかしながら、特許文献１には、手置き原稿読み取りによって得られる画像とスルー原稿読み取りによって得られる画像との間で発生する色調の差を低減することに関する記載は存在しない。
【先行技術文献】
【特許文献】
【０００５】
【特許文献１】特開平１１−１３６４４３号公報
【発明の概要】
【発明が解決しようとする課題】
【０００６】
そこで、本発明の目的は、手置き原稿読み取りによって得られる画像とスルー原稿読み取りによって得られる画像との間で発生する色調の差を低減することができる画像読み取り装置を提供することである。
【課題を解決するための手段】
【０００７】
本発明の一形態に係る画像読み取り装置は、本体と、前記本体に設けられ、かつ、原稿が主面上に載置される第１の透明板と、原稿を搬送する搬送手段と、前記本体に設けられ、かつ、前記搬送手段により搬送されている原稿が主面上を通過する第２の透明板と、前記第１の透明板及び前記第２の透明板の下方において移動可能に構成されているスライダー部であって、該第１の透明板上の前記原稿又は該第２の透明板上の前記原稿に光を照射する光源装置を含んでいるスライダー部と、を備えており、前記スライダー部は、前記第１の透明板上の前記原稿に照射する光の分光特性と、前記第２の透明板上の前記原稿に照射する光の分光特性とを異ならせることができること、を特徴とする。
【発明の効果】
【０００８】
本発明によれば、手置き原稿読み取りによって得られる画像とスルー原稿読み取りによって得られる画像との間で発生する色調の差を低減することができる。
【図面の簡単な説明】
【０００９】
【図１】本発明の第１の実施形態に係る画像読み取り装置の構成図である。
【図２】本発明の第１の実施形態に係る画像読み取り装置の構成図である。
【図３】画像読み取り装置の光源装置の構成図である。
【図４】プラテンガラス、導電コーティングが施されたプラテンガラス、並びに、防汚コーティング及び導電コーティングが施されたプラテンガラスの分光透過率を示したグラフである。
【図５】図５（ａ）及び図５（ｃ）はそれぞれ、原稿で反射しプラテンガラスを透過した光の分光特性を示したグラフである。図５（ｂ）及び図５（ｄ）は、ＬＥＤの分光特性を示したグラフである。図５（ｅ）は、ＬＥＤの分光特性を示したグラフである。
【図６】第１の変形例に係る光源装置の構成図である。
【図７】第２の変形例に係る光源装置の構成図である。
【図８】本発明の第２の実施形態に係る画像読み取り装置の構成図である。
【図９】本発明の第２の実施形態に係る画像読み取り装置の構成図である。
【図１０】本発明の第３の実施形態に係る画像読み取り装置の構成図である。
【図１１】本発明の第３の実施形態に係る画像読み取り装置の構成図である。
【発明を実施するための形態】
【００１０】
（第１の実施形態）
以下に、本発明の第１の実施形態に係る画像読み取り装置１０について図面を参照しながら説明する。図１及び図２は、本発明の第１の実施形態に係る画像読み取り装置１０の構成図である。図３は、画像読み取り装置１０の光源装置２７の構成図である。以下では、鉛直方向をｚ軸方向と定義し、スライダー部１８，２０の移動方向をｘ軸方向と定義する。そして、ｘ軸方向及びｚ軸方向に直交する方向をｙ軸方向と定義する。
【００１１】
画像読み取り装置１０は、図１に示すように、本体１２、原稿カバー１４、搬送装置１５、プラテンガラス１６，１７、スライダー部１８，２０、結像レンズ２２、撮像素子２４及び制御部５０を備えている。
【００１２】
本体１２は、原稿カバー１４、搬送装置１５、プラテンガラス１６，１７、スライダー部１８，２０、結像レンズ２２及び撮像素子２４が設けられている直方体状の筐体である。プラテンガラス１６は、本体１２のｚ軸方向の正方向側に設けられている開口に取り付けられている長方形状の透明板である。原稿Ｐは、プラテンガラス１６の主面上に、読み取り面をｚ軸方向の負方向側に向けた状態で載置される。プラテンガラス１７は、本体１２のｚ軸方向の正方向側に設けられている開口に取り付けられている長方形状の透明板であり、プラテンガラス１６よりもｘ軸方向の負方向側に位置している。
【００１３】
原稿カバー１４は、図１に示すように、原稿Ｐ上に覆いかぶさることにより、原稿Ｐをプラテンガラス１６に密着させる働きをする。
【００１４】
搬送装置１５は、原稿Ｐを搬送し、搬送装置１５は、トレイ１５ａ，１５ｂ及び搬送部１５ｃを有している。原稿Ｐは、トレイ１５ａ上に、読み取り面をｚ軸方向の正方向側に向けた状態で載置される。そして、搬送部１５ｃは、トレイ１５ａ上の原稿Ｐを、該原稿Ｐの読み取り面がｚ軸方向の負方向側を向いた状態でプラテンガラス１７の主面上を通過させる。その後、原稿Ｐは、トレイ１５ｂ上に排出される。
【００１５】
スライダー部１８は、図１及び図２に示すようにプラテンガラス１６，１７のｚ軸方向の負方向側においてｘ軸方向に移動可能に構成されており、光源装置２７及びミラー２９を含んでいる。
【００１６】
光源装置２７は、プラテンガラス１６上の原稿Ｐ（図１参照）又はプラテンガラス１７上の原稿Ｐ（図２参照）に対して２方向から光を照射する。光源装置２７は、図３に示すように、導光体２８ａ，２８ｂ、ＬＥＤ４０ａ，４０ｂ、基板４２ａ，４２ｂ及び筐体（合成手段）４４を有している。
【００１７】
ＬＥＤ４０ａ，４０ｂは、光を照射する半導体素子である。基板４２ａ，４２ｂはそれぞれ、ＬＥＤ４０ａ，４０ｂを駆動するための回路を内蔵している。基板４２ａ，４２ｂは、図３に示すように，ｙ軸方向に対して垂直に設けられている。このとき、基板４２ａは、基板４２ｂよりもｙ軸方向の正方向側に位置している。ＬＥＤ４０ａは、基板４２ａのｙ軸方向の正方向側の主面に実装され、ＬＥＤ４０ｂは、基板４２ｂのｙ軸方向の負方向側の主面に実装されている。すなわち、ＬＥＤ４０ａ，４０ｂは、反対方向に光を照射するように配置されている。
【００１８】
筐体４４は、ＬＥＤ４０ａ，４０ｂ及び基板４２ａ，４２ｂを収容する容器をなしており、かつ、内周面に鏡面が施されている。筐体４４は、ＬＥＤ４０ａ，４０ｂが照射した光を内周面にて反射して、これらの光が合成された光を生成する。
【００１９】
導光体２８ａは、ｙ軸方向に延在している円柱状をなす透明な樹脂部材である。導光体２８ａのｙ軸方向の負方向側の端部は、筐体４４に設けられている開口に取り付けられている。これにより、筐体４４が生成した光は、導光体２８ａのｙ軸方向の負方向側の端部から入射する。そして、導光体２８ａは、その表面に形成されたプリズムにより、筐体４４から出力されてくる光を原稿Ｐに対して照射する。導光体２８ａが照射した光は、原稿Ｐの読み取り面において拡散反射する。
【００２０】
導光体２８ｂは、ｙ軸方向に延在している円柱状をなす透明な樹脂部材である。導光体２８ｂは、導光体２８ａのｘ軸方向の負方向側において、導光体２８ａに対して平行となるように設けられている。導光体２８ｂのｙ軸方向の負方向側の端部は、筐体４４に設けられている開口に取り付けられている。これにより、筐体４４が生成した光は、導光体２８ｂのｙ軸方向の負方向側の端部から入射する。そして、導光体２８ｂは、その表面に形成されたプリズムにより、筐体４４から出力されてくる光を原稿Ｐに対して照射する。導光体２８ｂが照射した光は、原稿Ｐの読み取り面において拡散反射する。以上のような構成により、光源装置２７は、２方向から光を原稿Ｐに対して照射する。
【００２１】
ミラー２９は、図１に示すように、原稿Ｐにおいて反射した光をｘ軸方向の負方向側に反射させる。
【００２２】
スライダー部２０は、図１及び図２に示すようにプラテンガラス１６，１７のｚ軸方向の負方向側においてｘ軸方向に移動可能に構成されており、ミラー３０，３２を含んでいる。ミラー３０は、ミラー２９からの光をｚ軸方向の負方向側に反射させる。ミラー３２は、ミラー３０からの光をｘ軸方向の正方向側に反射させる。
【００２３】
結像レンズ２２は、ミラー３２からの光によって得られる光学像を撮像素子２４に結像させる。撮像素子２４は、原稿Ｐで反射した光を受光する受光素子である。具体的には、撮像素子２４は、ｙ軸方向に延びる一次元状の撮像領域を有し、結像レンズ２２によって結像された光学像を走査して原稿Ｐの像を読み取るＣＣＤカメラ等のラインセンサである。
【００２４】
制御部５０は、例えば、ＣＰＵにより構成され、画像読み取り装置１０の動作を制御する。
【００２５】
以上のような画像読み取り装置１０は、図１に示すように、プラテンガラス１６上に載置された原稿を読み取る手置き原稿読み取りと、図２に示すように、プラテンガラス１７上を搬送装置１５により原稿Ｐを通過させて読み取るスルー原稿読み取りとを行うことができる。以下に、手置き原稿読み取り及びスルー原稿読み取りが行われるときのスライダー部１８，２０の動作について説明する。
【００２６】
手置き原稿読み取りが行われるときには、原稿Ｐは、プラテンガラス１６の主面上に載置される。そして、原稿カバー１４により原稿Ｐがプラテンガラス１６に対して押し付けられる。スライダー部１８は、原稿Ｐが読み取られているときには、図１に示すように、プラテンガラス１６に沿って、図示しないモータ、ベルト及びプーリー等の移動手段により、ｘ軸方向の正方向側に向かって速度Ｖで移動させられる。
【００２７】
一方、スライダー部２０は、原稿Ｐが読み取られているときには、図１に示すように、プラテンガラス１６のｚ軸方向の負方向側において、図示しないモータ、ベルト及びプーリー等の移動手段により、ｘ軸方向の正方向側に向かって速度Ｖ／２で移動させられる。このように、スライダー部２０をスライダー部１８の半分の速度で移動させることにより、移動中における原稿Ｐの読み取り面と撮像素子２４との間の光の経路の長さが一定に保たれている。
【００２８】
また、スルー原稿読み取りが行われるときには、原稿Ｐは、図２に示すように、搬送装置１５により搬送され、プラテンガラス１７上を通過する。スライダー部１８は、図２に示すように、プラテンガラス１７のｚ軸方向の負方向側において静止している。また、スライダー部２０は、スライダー部２０のｘ軸方向の負方向側において静止している。
【００２９】
ところで、画像読み取り装置１０では、以下に説明するように、プラテンガラス１６の分光透過率（透過率と波長との関係）とプラテンガラス１７の分光透過率（透過率と波長との関係）とは異なっている。図４は、プラテンガラス、導電コーティングが施されたプラテンガラス、並びに、防汚コーティング及び導電コーティングが施されたプラテンガラスの分光透過率を示したグラフである。縦軸は透過率を示し、横軸は波長を示している。
【００３０】
前記の通り、手置き原稿読み取りでは、プラテンガラス１６を介して原稿Ｐが読み取られ、スルー原稿読み取りでは、プラテンガラス１７を介して原稿Ｐが読み取られている。そして、スルー原稿読み取りのためのプラテンガラス１７には、プラテンガラス１７に汚れが付着しないように、防汚コーティングや導電コーティング等が施されている。一方、手置き原稿読み取りのためのプラテンガラス１６には、防汚コーティングや導電コーティング等は施されていない。そのため、プラテンガラス１６の分光透過率とプラテンガラス１７の分光透過率とは異なっている。具体的には、図４に示すように、防汚コーティングや導電コーティング等が施されたプラテンガラスの分光透過率は、防汚コーティングや導電コーティング等が施されていないプラテンガラスの分光透過率よりも低い。特に、３５０ｎｍ〜４５０ｎｍの範囲の波長（青色の光の波長から緑色の光の波長までの波長）において、防汚コーティングや導電コーティング等が施されたプラテンガラスの分光透過率は、防汚コーティングや導電コーティング等が施されていないプラテンガラスの分光透過率よりも低い。このような分光透過率の差は、手置き原稿読み取りによって得られる画像とスルー原稿読み取りによって得られる画像との間で色調に差が生じる原因となる。
【００３１】
そこで、画像読み取り装置１０では、スライダー部１８は、プラテンガラス１６上の原稿Ｐに照射する光の分光特性と、プラテンガラス１７上の原稿Ｐに照射する光の分光特性とを異ならせることができる。プラテンガラス１７上の原稿Ｐに照射する光の分光特性は、プラテンガラス１６上の原稿Ｐに照射する光の分光特性よりも、３５０ｎｍ〜４５０ｎｍの範囲の波長において、強い強度を有している。
【００３２】
本実施形態に係る画像読み取り装置１０では、前記分光特性を得るために、ＬＥＤ４０ａが照射する光の分光特性とＬＥＤ４０ｂが照射する光の分光特性を異ならせている。そして、制御部５０は、プラテンガラス１６上の原稿Ｐに光を照射する場合（すなわち、手置き原稿読み取りの場合）には、ＬＥＤ４０ａのみに光を照射させ、プラテンガラス１７上の原稿Ｐに光を照射する場合（すなわち、スルー原稿読み取りの場合）には、ＬＥＤ４０ａ，４０ｂに光を照射させる。以下に、図面を参照しながら説明する。
【００３３】
図５（ａ）及び図５（ｃ）はそれぞれ、原稿Ｐで反射しプラテンガラス１６，１７を透過した光の分光特性を示したグラフである。図５（ｂ）及び図５（ｄ）は、ＬＥＤ４０ａの分光特性を示したグラフである。図５（ｅ）は、ＬＥＤ４０ｂの分光特性を示したグラフである。図５において、縦軸は光の強度を示し、横軸は波長を示している。
【００３４】
プラテンガラス１６上の原稿Ｐに光を照射する場合には、制御部５０は、ＬＥＤ４０ａのみを点灯させる。この場合、図５（ｂ）に示す分光特性を有する光が、プラテンガラス１６を介して原稿Ｐに照射されて、原稿Ｐにおいて拡散反射する。そして、原稿Ｐにおいて拡散反射した後、プラテンガラス１６を透過した光は、図５（ａ）に示す分光特性を有する。
【００３５】
一方、プラテンガラス１７上の原稿Ｐに光を照射する場合には、制御部５０は、ＬＥＤ４０ａ，４０ｂを点灯させる。ＬＥＤ４０ｂは、図５（ｅ）に示すように、３５０ｎｍ〜４５０ｎｍの範囲の波長の光を照射する。そして、図５（ｄ）及び図５（ｅ）に示す分光特性を有する光が、プラテンガラス１７を介して原稿Ｐに照射されて、原稿Ｐにおいて拡散反射する。そして、原稿Ｐにおいて拡散反射した後、プラテンガラス１６を透過した光は、図５（ｃ）に示す分光特性を有する。
【００３６】
ここで、プラテンガラス１７の分光透過率は、３５０ｎｍ〜４５０ｎｍの範囲の波長において、プラテンガラス１６の分光透過率よりも低い。すなわち、プラテンガラス１７は、プラテンガラス１６よりも、３５０ｎｍ〜４５０ｎｍの範囲の波長の光を吸収及び反射しやすい。そこで、プラテンガラス１７上の原稿Ｐに光を照射する場合には、制御部５０は、３５０ｎｍ〜４５０ｎｍの範囲の波長の光を照射するＬＥＤ４０ｂをＬＥＤ４０ａに加えて点灯させている。これにより、プラテンガラス１７の透過時に損失する光とプラテンガラス１６の透過時に損失する光との差を、ＬＥＤ４０ｂが照射する光によって補うことができる。その結果、図５（ａ）及び図５（ｃ）に示すように、原稿Ｐにおいて拡散反射した後、プラテンガラス１６を透過した光の分光特性と、原稿Ｐにおいて拡散反射した後、プラテンガラス１７を透過した光の分光特性とを近づけることが可能となる。よって、手置き原稿読み取りによって得られる画像とスルー原稿読み取りによって得られる画像との間で発生する色調の差を低減することができる。
【００３７】
また、本実施形態に係る画像読み取り装置１０では、ＬＥＤ４０ａ，４０ｂが照射した光が筐体４４にて合成された後に、導光体２８ａ，２８ｂにより原稿Ｐに照射されている。そのため、導光体２８ａ，２８ｂが照射する光の分光特性は等しくなる。その結果、原稿Ｐを読み取って得られた画像に色むらが発生することが抑制される。
【００３８】
なお、本実施形態に係る画像読み取り装置１０において、光源装置２７では、ＬＥＤ４０ａ，４０ｂが光源として用いられているが、例えば、２本の蛍光管が光源として用いられてもよい。この場合、２本の蛍光管が照射する光の分光特性が、ＬＥＤ４０ａ，４０ｂが照射する光の分光特性と同様に異なっていればよい。
【００３９】
（第１の変形例）
以下に、第１の変形例に係る光源装置２７ａについて図面を参照しながら説明する。図６は、第１の変形例に係る光源装置２７ａの構成図である。なお、光源装置２７ａにおいて、光源装置２７と同じ構成については同じ参照符号を付してある。そこで、光源装置２７ａの構成について、光源装置２７との相違点を中心に説明する。
【００４０】
光源装置２７ａのＬＥＤ４０'ａ，４０'ｂは、同じ分光特性を有する光を照射する。そして、ＬＥＤ４０'ａは、ＬＥＤ４０'ｂよりも導光体２８ａ，２８ｂの近くに設けられている。これにより、ＬＥＤ４０'ａが照射した光の大半は、筐体４４ａの内周面で反射することなく、直接に導光体２８ａ，２８ｂに入射する。一方、ＬＥＤ４０'ｂが照射した光の大半は、筐体４４ａの内周面で反射した後に、導光体２８ａ，２８ｂに入射する。
【００４１】
また、筐体４４ａの内周面は、３５０ｎｍ〜４５０ｎｍの範囲の波長の光を、３５０ｎｍ〜４５０ｎｍの範囲外の波長の光よりも高い反射率で反射する。具体的には、筐体４４ａの内周面は、３５０ｎｍ〜４５０ｎｍの範囲外の波長の光を吸収するコーティングが鏡面上に施されて構成されている。これにより、３５０ｎｍ〜４５０ｎｍの範囲の波長の光は、コーティングを透過して、鏡面により反射されて、再びコーティングを透過して、導光体２８ａ，２８ｂへと入射する。一方、３５０ｎｍ〜４５０ｎｍの範囲外の波長の光は、コーティングにより吸収されるので、導光体２８ａ，２８ｂへと殆ど入射しない。
【００４２】
以上のような光源装置２７ａが設けられた画像読み取り装置１では、プラテンガラス１６上の原稿Ｐに光を照射する場合には、制御部５０がＬＥＤ４０’ａのみを点灯させる。ＬＥＤ４０’ａが照射した光の大半は、筐体４４ａの内周面で反射することなく導光体２８ａ，２８ｂに直接に入射する。一方、プラテンガラス１７上の原稿Ｐに光を照射する場合には、制御部５０がＬＥＤ４０’ａ，４０’ｂを点灯させる。ＬＥＤ４０’ｂが照射した光の大半は、筐体４４ａの内周面により反射された後に、導光体２８ａ，２８ｂに入射する。そのため、３５０ｎｍ〜４５０ｎｍの範囲の波長の光が、導光体２８ａ，２８ｂに入射する。これにより、プラテンガラス１７の透過時に損失する光とプラテンガラス１６の透過時に損失する光との差を、ＬＥＤ４０’ｂが照射し筐体４４ａが反射した光によって補うことができる。その結果、原稿Ｐにおいて拡散反射した後、プラテンガラス１６を透過した光の分光特性と、原稿Ｐにおいて拡散反射した後、プラテンガラス１７を透過した光の分光特性とを近づけることが可能となる。よって、手置き原稿読み取りによって得られる画像とスルー原稿読み取りによって得られる画像との間で発生する色調の差を低減することができる。
【００４３】
（第２の変形例）
以下に、第２の変形例に係る光源装置２７ｂについて図面を参照しながら説明する。図７は、第２の変形例に係る光源装置２７ｂの構成図である。なお、光源装置２７ｂにおいて、光源装置２７，２７ａと同じ構成については同じ参照符号を付してある。そこで、光源装置２７ｂの構成について、光源装置２７，２７ａとの相違点を中心に説明する。
【００４４】
光源装置２７ａのＬＥＤ４０'ａ，４０'ｂは、同じ分光特性を有する光を照射する。そして、ＬＥＤ４０'ａは、ＬＥＤ４０'ｂよりも導光体２８ａ，２８ｂの近くに設けられている。これにより、ＬＥＤ４０'ａが照射した光の大半は、筐体４４ａの内周面で反射することなく、直接に導光体２８ａ，２８ｂに入射する。一方、ＬＥＤ４０'ｂが照射した光の大半は、筐体４４ａの内周面で反射した後に、導光体２８ａ，２８ｂに入射する。
【００４５】
また、筐体４４の内周面は、３５０ｎｍ〜４５０ｎｍの範囲の波長の光を、３５０ｎｍ〜４５０ｎｍの範囲外の波長の光よりも高い反射率で反射する。具体的には、筐体４４の内周面であってＬＥＤ４０'ｂと対向する部分には、３５０ｎｍ〜４５０ｎｍの範囲の波長の光を反射し、かつ、３５０ｎｍ〜４５０ｎｍの範囲外の波長の光を透過するハーフミラーのコーティング４５が施されて構成されている。これにより、３５０ｎｍ〜４５０ｎｍの範囲の波長の光は、コーティング４５により反射されて、導光体２８ａ，２８ｂへと入射する。一方、３５０ｎｍ〜４５０ｎｍの範囲外の波長の光は、コーティング４５を透過して筐体４４により吸収されるので、導光体２８ａ，２８ｂへと殆ど入射しない。
【００４６】
以上のような光源装置２７ｂが設けられた画像読み取り装置１０においても、光源装置２７ａが設けられた画像読み取り装置１０と同様に、手置き原稿読み取りによって得られる画像とスルー原稿読み取りによって得られる画像との間で発生する色調の差を低減することができる。
【００４７】
（第２の実施形態）
次に、第２の実施形態に係る画像読み取り装置１０ａについて図面を参照しながら説明する。図８及び図９は、本発明の第２の実施形態に係る画像読み取り装置１０ａの構成図である。画像読み取り装置１０ａにおいて、画像読み取り装置１０と同じ構成については、同じ参照符号を付した。そこで、以下では、画像読み取り装置１０との相違点を中心に画像読み取り装置１０ａについて説明する。
【００４８】
画像読み取り装置１０ａでは、図８及び図９に示すように、光源装置２７ｃは、蛍光管４１及びミラー５２を有している。蛍光管４１は、図８に示すように、原稿Ｐ及びミラー５２に対して光を照射する。ミラー５２は、蛍光管４１により照射された光を反射して、プラテンガラス１６上の原稿Ｐに対して照射する。これにより、蛍光管４１及びミラー５２は、プラテンガラス１６上の原稿Ｐに光を照射する場合（すなわち、手置き原稿読み取りを行う場合）に、２方向から光を原稿Ｐに対して照射する。
【００４９】
また、画像読み取り装置１０ａでは、図８及び図９に示すように、プラテンガラス１７のｚ軸方向の負方向側にミラー５４が設けられている。ミラー５４は、図９に示すように、プラテンガラス１７上の原稿Ｐに光を照射する場合（すなわち、スルー原稿読み取りを行う場合）に、スライダー部１８内に位置して、光源装置２７ｃが照射した光の一部をプラテンガラス１７上の原稿Ｐに向けて反射する反射部材である。ミラー５４は、３５０ｎｍ〜４５０ｎｍの範囲の波長の光を３５０ｎｍ〜４５０ｎｍの範囲外の波長の光よりも高い反射率で反射する。なお、この際、図９に示すように、ミラー５２は、蛍光管４１が照射した光を反射しないように、ｚ軸方向の負方向側に移動する。これにより、蛍光管４１及びミラー５４は、プラテンガラス１６上の原稿Ｐに光を照射する場合（すなわち、手置き原稿読み取りを行う場合）に、２方向から光を原稿Ｐに対して照射する。
【００５０】
画像読み取り装置１０ａでは、ミラー５４は、３５０ｎｍ〜４５０ｎｍの範囲の波長の光を３５０ｎｍ〜４５０ｎｍの範囲外の波長の光よりも高い反射率で反射する。そのため、ミラー５４が反射する光に含まれる３５０ｎｍ〜４５０ｎｍの範囲の波長の光の割合は、ミラー５２が反射する光に含まれる３５０ｎｍ〜４５０ｎｍの範囲の波長の光の割合よりも高い。そのため、スライダー部１８がプラテンガラス１７上の原稿Ｐに照射する光に含まれる３５０ｎｍ〜４５０ｎｍの範囲の波長の光の割合は、スライダー部１８がプラテンガラス１６上の原稿Ｐに照射する光に含まれる３５０ｎｍ〜４５０ｎｍの範囲の波長の光の割合よりも大きくなる。これにより、プラテンガラス１７の透過時に損失する３５０ｎｍ〜４５０ｎｍの範囲の波長の光とプラテンガラス１６の透過時に損失する３５０ｎｍ〜４５０ｎｍの範囲の波長の光との差を、ミラー５４が反射する光によって補うことができる。その結果、原稿Ｐにおいて拡散反射した後、プラテンガラス１６を透過した光の分光特性と、原稿Ｐにおいて拡散反射した後、プラテンガラス１７を透過した光の分光特性とを近づけることが可能となる。よって、手置き原稿読み取りによって得られる画像とスルー原稿読み取りによって得られる画像との間で発生する色調の差を低減することができる。
【００５１】
（第３の実施形態）
次に、第３の実施形態に係る画像読み取り装置１０ｂについて図面を参照しながら説明する。図１０及び図１１は、本発明の第３の実施形態に係る画像読み取り装置１０ｂの構成図である。画像読み取り装置１０ｂにおいて、画像読み取り装置１０ａと同じ構成については、同じ参照符号を付した。そこで、以下では、画像読み取り装置１０ａとの相違点を中心に画像読み取り装置１０ｂについて説明する。
【００５２】
画像読み取り装置１０ｂでは、光源装置２７ｃは、ミラー５２，５４を有している。ミラー５２，５４の機能は、画像読み取り装置１０ａのミラー５２，５４と同じである。ただし、図８及び図９に示すように、ミラー５２，５４は、スライダー部１８内において移動（より詳細には、回転）することが可能である。そのため、スライダー部１８は、ミラー５２，５４を移動させるための移動機構（図示せず）を含んでいる。
【００５３】
より詳細には、プラテンガラス１６上の原稿Ｐに光を照射する場合（すなわち、手置き原稿読み取りを行う場合）には、ミラー５２は、図１０に示すように、蛍光管４１が照射した光の一部を反射して、原稿Ｐに対して照射する。この際、移動機構は、ミラー５４により反射された光がプラテンガラス１６上の原稿Ｐを照射しないように、ミラー５４をミラー５２のｚ軸方向の負方向側に移動させている。
【００５４】
一方、プラテンガラス１７上の原稿Ｐに光を照射する場合（すなわち、スルー原稿読み取りを行う場合）には、ミラー５４は、図１１に示すように、蛍光管４１が照射した光の一部を反射して、原稿Ｐに対して照射する。この際、移動機構は、ミラー５２により反射された光がプラテンガラス１６上の原稿Ｐを照射しないように、ミラー５２をミラー５４のｘ軸方向の負方向側に移動させている。
【００５５】
以上のような画像読み取り装置１０ｂにおいても、画像読み取り装置１０ａと同様に、手置き原稿読み取りによって得られる画像とスルー原稿読み取りによって得られる画像との間で発生する色調の差を低減することができる。
【産業上の利用可能性】
【００５６】
本発明は、画像読み取り装置に有用であり、特に、手置き原稿読み取りによって得られる画像とスルー原稿読み取りによって得られる画像との間で発生する色調の差を低減することができる点において優れている。
【符号の説明】
【００５７】
１０，１０ａ，１０ｂ  画像読み取り装置
１２  本体
１４  原稿カバー
１５  搬送装置
１６，１７  プラテンガラス
１８，２０  スライダー部
２７，２７ａ，２７ｂ  光源装置
４０ａ，４０ｂ，４０'ａ，４０’ｂ  ＬＥＤ
４１  蛍光管
４４，４４ａ  筐体
４５  コーティング
５０  制御部
５２，５４  ミラー
【図１】
0005423628.tif 000002
【図２】
0005423628.tif 000003
【図３】
0005423628.tif 000004
【図４】
0005423628.tif 000005
【図５】
0005423628.tif 000006
【図６】
0005423628.tif 000007
【図７】
0005423628.tif 000008
【図８】
0005423628.tif 000009
【図９】
0005423628.tif 000010
【図１０】
0005423628.tif 000011
【図１１】
0005423628.tif 000012